(57)【要約】【課題】架空ケーブル吊り金具の取付け作業に起因する作業性の問題を解消し、その作業効率を一挙に向上することができる架空ケーブル吊り金具及び架空ケーブル架設方法を提供することを目的とするものである。【解決手段】メッセンジャーワイヤ４に架空ケーブル５を吊設するための吊り金具であり、吊り金具１０が主枠体１１と上下部枠体１２，１３とからなり、主枠体１１の上端部１４と上部枠体１２とによりメッセンジャーワイヤ４を挟持し、主枠体１１の下端部１５と下部枠体１３とにより架空ケーブル５を挟持して架空ケーブル５を架設する架空ケーブル吊り金具である。【選択図】　　図１
2004072868.tif 000002
【特許請求の範囲】
【請求項１】
メッセンジャーワイヤに架空ケーブルを架設するための吊り金具において、
前記吊り金具が主枠体と上部枠体及び下部枠体とからなり、前記メッセンジャーワイヤを前記主枠体の上端部と前記上部枠体とにより挟持し、前記架空ケーブルを前記主枠体の下端部と前記下部枠体とにより挟持することを特徴とする架空ケーブル吊り金具。
【請求項２】
前記主枠体の上端部の挟持部が、前記メッセンジャーワイヤの断面垂直方向の中心線を超える内面円弧状の張出部を有することを特徴とする請求項１に記載の架空ケーブル吊り金具。
【請求項３】
前記内面円弧状の挟持部の先端が曲面であることを特徴とする請求項２に記載の架空ケーブル吊り金具。
【請求項４】
請求項１，２又は３に記載の架空ケーブル吊り金具による架空ケーブルの架設方法であって、前記メッセンジャーワイヤを支持点間に張設し、前記架空ケーブルを仮架設した後、前記架空ケーブルを前記主枠体と前記下部枠体とで挟持して、前記主枠体の上端部の挟持部を前記メッセンジャーワイヤに引っ掛けて、該メッセンジャーワイヤを前記上端部の挟持部と前記上部枠体とで挟持し、前記架空ケーブルをメッセンジャーワイヤに架設することを特徴とする架空ケーブルの架設方法。
【発明の詳細な説明】
【０００１】
【発明の属する技術分野】
本発明は、メンセンジャーワイヤに架空ケーブルを吊設するための架空ケーブル吊り金具及び架空ケーブルの架設方法に関するものである。
【０００２】
【従来の技術】
一般に、電信、通信、或いは光通信等の架空ケーブルは、電柱等の支持点間にメッセンジャーワイヤを張設し、このメッセンジャーワイヤにケーブルハンガなどの吊具又は吊り金具等を取り付けながら架空ケーブルを懸架するようにして施工されている。
【０００３】
従来の架空ケーブル吊り金具としては、図９に示したように、側面形状が略左右対称の枠体２，３からなり、その上端部にメンセンジャーワイヤ４を下端部に架空ケーブル５を挟み、枠体２，３をその中央部に設けた貫通穴にボルト６を挿通してナット６ａを螺合させて挟持し、メンセンジャーワイヤ４に架空ケーブル６を架設する架空ケーブル吊り金具１である。この架空ケーブル吊り金具１では、支持点間に張られたメンセンジャーワイヤ４と架空ケーブル５とを、同時に枠体２，３間に挟んで組み付ける必要があり、一箇所の吊り金具１を取り付けるのに２〜３人の人員で同時に施工する必要があった。
【０００４】
また、図１０に示すような簡単な構造の吊具（ケーブルハンガ）１′がある。この吊具１′は、ループ状の支持部８に絶縁部９を形成し、その両端をフック８ａ，８ｂとし、メッセンジャーワイヤ４にフック８ａ，８ｂを引っ掛けて、支持部８に架空ケーブル５を通して吊り下げるものある。この吊具（ケーブルハンガ）１′は、フック８ａ，８ｂが一旦メッセンジャーワイヤ４に引っ掛けられた後は容易に外れることがないように、逆Ｌ形のフック８ａと逆Ｕ形のフック８ｂとを組み合わせた構造である。逆Ｕ形のフック８ａは、メッセンジャーワイヤ４に引っ掛けたときに斜めに交差するように僅かに捻られている。
【０００５】
このような架空ケーブル吊り金具１或いは吊具１′を利用した架空ケーブルの架設工事では、先ず支持点間にメッセンジャーワイヤ４を張設し、このメッセンジャーワイヤ１の長手方向の数カ所に金車と称される滑車を吊り下げる。次いで、これら滑車に架空ケーブル５を案内させながらメッセンジャーワイヤ４と平行に仮架設し、次いで仮架設された架空ケーブル５をメッセンジャーワイヤ１に対して順次所定のピッチで移動しながら、吊り金具１或いは吊具１′でメッセンジャーワイヤ４と架空ケーブルとを連結して架空ケーブルを吊設すると共に、滑車を取り外すようにして行われている。
【０００６】
【発明が解決しようとする課題】
このような架空ケーブルの架線作業は、作業員が高所作業車に乗り、かつ多数の吊具（吊り金具）を所持しながら、高所で作業が行われており、気象条件等の作業環境も様々であって、多大の時間と熟練を要し、しかも作業効率が悪いという問題があった。このような状況下であっても、少ない人員で迅速かつ確実に作業ができる架空ケーブル吊り金具であって、架空ケーブルの架線作業が迅速になし得る架空ケーブル架設方法が望まれていた。
【０００７】
本発明は、上記のような課題に鑑みてなされたものであり、主として架空ケーブル吊り金具の取付け作業に起因する作業性の問題を解消し、その作業効率を向上することができる架空ケーブル吊り金具及び架空ケーブル架設方法を提供することを目的とするものである。
【０００８】
【課題を解決するための手段】
本発明では、上記課題を達成するために、請求項１の発明は、メッセンジャーワイヤに架空ケーブルを架設するための吊り金具において、
前記吊り金具が主枠体と上部枠体及び下部枠体とからなり、前記メッセンジャーワイヤを前記主枠体の上端部と前記上部枠体とにより挟持し、前記架空ケーブルを前記主枠体の下端部と前記下部枠体とにより挟持することを特徴とする架空ケーブル吊り金具である。
【０００９】
請求項１の発明では、吊り金具が主枠体と上部枠体及び下部枠体とからなり、主枠体に向かい合わされる枠体が上部と下部とに分割した構造となっており、架空ケーブルを主枠体の下端部と下部枠体とにより挟持した後、主枠体の上端部と上部枠体とによりメッセンジャーワイヤを挟持することができ、架空ケーブルとメッセンジャーワイヤとを支えながら同時に取り付ける必要がないので、少ない人員で確実に、しかも迅速に架空ケーブルの架設作業ができる作用がある。なお、主枠体に上部枠体と下部枠体とを固定する際に使用するボルトは、角根丸頭ボルトとし、主枠体と上下部枠体とに形成される貫通穴を四角形状して、角根丸頭ボルトの角部を貫通穴に嵌合させてボルト止めを行うことにより、作業性を改善し得る作用を有する。
【００１０】
また、請求項２の発明は、前記主枠体の上端部の挟持部が、前記メッセンジャーワイヤの断面垂直方向の中心線を超える内面円弧状の張出部を有することを特徴とする請求項１に記載の架空ケーブル吊り金具である。
【００１１】
請求項２の発明では、主枠体の上端部の挟持部がメッセンジャーワイヤの断面垂直方向の中心線を超える内面円弧状の張出部を形成しており、架空ケーブルを主枠体の下端部と下部枠体とにより挟持した後に、この内面円弧状の張出部を利用してメッセンジャーワイヤに引っ掛けて架空ケーブルを吊り下げることができるので、架空ケーブルの仮架設が極めて迅速になし得るとともに、架空ケーブルを懸架した仮架設状態で、通信回線の導通や送信試験等を迅速になし得るし、その後の架設作業も少ない人員で可能となる作用がある。
【００１２】
また、請求項３の発明は、前記内面円弧状の挟持部の先端が曲面であることを特徴とする請求項２に記載の架空ケーブル吊り金具である。
【００１３】
請求項３の発明では、内面円弧状の挟持部の先端が曲面であるので、架空ケーブル吊り金具をメッセンジャーワイヤに引っ掛ける際に、吊り金具の挟持部先端で、メッセンジャーワイヤを傷を付けることなく、メッセンジャーワイヤに吊り金具を懸架することができるので、架空ケーブルの架設作業を迅速に行うことができる作用を有する。
【００１４】
また、請求項４の発明は、請求項１，２又は３に記載の架空ケーブル吊り金具による架空ケーブルの架設方法であって、前記メッセンジャーワイヤを支持点間に張設し、前記架空ケーブルを仮架設した後、前記架空ケーブルを前記主枠体と前記下部枠体とで挟持して、前記主枠体の上端部の挟持部を前記メッセンジャーワイヤに引っ掛けて、該メッセンジャーワイヤを前記上端部の挟持部と前記上部枠体とで挟持し、前記架空ケーブルをメッセンジャーワイヤに架設することを特徴とする架空ケーブルの架設方法である。
【００１５】
請求項４の発明では、架空ケーブル吊り金具が主枠体に向かい合わされる上下部枠体が分割構造であり、主枠体の上端部がフック状であるので、メッセンジャーワイヤを支持点間に張設し、架空ケーブルをメッセンジャーワイヤに略平行に仮架設して、作業員が高所作業車に乗って、先ず、架空ケーブルを主枠体と下部枠体とに挟持する。そして、主枠体の上端部の挟持部をメッセンジャーワイヤに引っ掛けて、主枠体の上端部と上部枠体とでメッセンジャーワイヤを挟持して、支持点間に架空ケーブルを架設する。この架空ケーブルの架設方法では、メッセンジャーワイヤと架空ケーブルとを支えて同時に吊り金具に組み込む必要がなく、別々に取り付けることができるので、少ない人員であっても迅速に架設作業が施工できる作用がある。
【００１６】
【発明の実施の形態】
以下、本発明に係る架空ケーブル吊り金具及びその吊り金具による架空ケーブルの架設方法について、図面を参照して説明する。なお、第１の実施形態は図１〜図４、第２の実施形態は図５〜図８に示した。図１（ａ）は第１の実施形態の分解斜視図、同図（ｂ）はその側面図、図２（ａ），（ｂ）は主枠体の側面図及び正面図、図３（ａ），（ｂ）は上部枠体の正面図及び側面図、図４（ａ），（ｂ）は下部枠体の正面図及び側面図である。図５（ａ）は第２の実施形態の分解斜視図、同図（ｂ）はその断面図、図６（ａ），（ｂ）は主枠体の側面図及び正面図、図７（ａ），（ｂ）は上部枠体の正面図及び側面図、図８（ａ），（ｂ）は下部枠体の側面図及び正面図である。
【００１７】
（実施形態１）
図１〜図４を参照して、本実施形態の架空ケーブル吊り金具を説明する。架空ケーブル吊り金具１０は、メッセンジャーワイヤ４に架空ケーブル５を吊設するためのものである。吊り金具１０は、その平面形状が四角形であって、主枠体１１と、主枠体１１に向かい合わされる上部枠体１２と下部枠体１３とからなる。メッセンジャーワイヤ４は、主枠体１１の上端部１４と上部枠体１２とにより挟まれて、主枠体１１と上部枠体１２とに設けられた貫通穴１１ａ，１２ａにボルト１８を挿通してナット１８ａを螺合緊縮して挟持される。架空ケーブル５は、主枠体１１と下部枠体１３とにより挟まれ、主枠体１１の下端部１５と下部枠体１３とに設けられた貫通穴１１ｂ，１３ａにボルト１９を挿通してナット１９ａを螺合緊縮して挟持される。ボルト１８，１９は角根丸頭ボルトを使用し、貫通穴１１ａ，１１ｂを四角形状の角穴として、これらの角穴にボルト１８，１９の角部を嵌合させてボルト止めをする。
【００１８】
主枠体１１は、その上端部１４と下端部１５とに内面円弧状の挟持部１４ａ，１５ａがそれぞれ設けられ、上端部１４と下端部１５との間には貫通穴１１ａ，１１ｂがそれぞれ上下２個づつ設けられている。主枠体１１の上端部１４の挟持部１４ａは、メッセンジャーワイヤ４の垂直方向の中心線を超える張出部１４ｂを有し、張出部１４ｂの先端部１４ｃが曲面となっている。所謂、主枠体１１の上端部１４はフック状となっている。挟持部１４ａにはメッセンジャーワイヤ４が、挟持部１５ａには架空ケーブル５がそれぞれ当接する部分である。また、挟持部１４ａの先端部１４ｃは曲面であるので、吊り金具１０をメッセンジャーワイヤ４に引っ掛ける際に掻き傷を付けることがなく、迅速に吊設することができる。
【００１９】
なお、下端部１５の内面円弧状の挟持部１５ａは、上端部１４のように架空ケーブル５の垂直方向の中心線を超える張出部を形成する必要はなく、下部枠体１３とによって、架空ケーブル５を挟持することができればよい。
【００２０】
また、上部枠体１２は、メッセンジャーワイヤ４が当接する内面円弧状の挟持部１６が設けられ、ボルト１８を挿通する貫通穴１２ａが主枠体１１の貫通穴１１ａに対応する位置に２箇所設けられている。メッセンジャーワイヤ４は、挟持部１６と挟持部１４ａとに当接して挟持される。貫通穴１２ａは四角形状の角穴とすることで、ボルト１８を上部枠体１２側から挿通する場合にボルト１８の角部を貫通穴１２ａに嵌合させてボルト止めを行うこともできる。
【００２１】
また、下部枠体１３は、架空ケーブル５が当接する内面円弧状の挟持部１７が設けられ、ボルト１９が挿通される貫通穴１３ａが主枠体１１の貫通穴１１ｂに対応する位置に２箇所設けられている。下部枠体１３の挟持部１７の側面形状は、主枠体１１の挟持部１５ａと左右対称の形状であり、架空ケーブル５は挟持部１７と挟持部１５ａとに当接して挟持される。貫通穴１３ａは四角形状の角穴とすることで、同様にボルト１９を下部枠体１３側から挿通する場合にボルト１９の角部を嵌合させてボルト止めを行うこともできる。
【００２２】
（実施形態２）
図５〜図７を参照して、第２の実施形態について説明する。架空ケーブル吊り金具２０は、上記実施形態と同様にメッセンジャーワイヤ４に架空ケーブル５を吊設するためのものであり、上記実施形態が鋳鉄製やアルミ鋳造物であるのに対して本実施形態は鋼板製である。吊り金具２０は、主枠体２１と、主枠体２１に向かい合わされる上部枠体２２と下部枠体２３とからなる。メッセンジャーワイヤ４は、主枠体２１の上端部２４と上部枠体２２とにより挟まれて、主枠体２１と上部枠体２２とが貫通穴２１ａ，２２ａにボルト２８を挿通し、ワッシャを介挿し、ナット２８ａを螺合緊縮して挟持されている。架空ケーブル５は、主枠体２１と下部枠体２３とにより挟まれ、主枠体２１の下端部２５と下部枠体２３とが貫通穴２１ｂ，２３ａにボルト２９を挿通し、ワッシャを介挿し、ナット２９ａを螺合緊縮して挟持されている。ボルト２８，２９は角根丸頭ボルトを使用し、貫通穴２１ａ，２１ｂは四角形状の角穴として、これらの角穴にボルト２８，２９の角部を嵌合させてボルト止めをする。
【００２３】
主枠体２１の上端部２４と下端部２５とには内面円弧状の挟持部２４ａ，２５ａが設けられ、上端部２４と下端部２５との間には貫通穴２１ａ，２１ｂがそれぞれ上下２個づつ形成されている。挟持部２４ａは、メッセンジャーワイヤ４の垂直方向の中心線を超えた張出部２４ｂを有している。上記実施形態と同様に主枠体２１の上端部２４はフック状である。なお、架空ケーブル５が当接する下端部２５の内面円弧状の挟持部２５ａは、架空ケーブル５の垂直方向の中心線を超える張出部を形成する必要はない。
【００２４】
また、上部枠体２２は、メッセンジャーワイヤ４に当接する内面円弧状の挟持部２６が設けられ、ボルト２８が挿通される貫通穴２２ａが主枠体２１の貫通穴２１ａに対応するように２箇所設けられている。また、下部枠体２３は、架空ケーブル５に当接する内面円弧状の挟持部２７が設けられ、ボルト２９が挿通される貫通穴２３ａが主枠体２１の貫通穴２１ｂに対応するように２箇所設けられている。下部枠体２３の挟持部２７は、主枠体２１の挟持部２５ａと側部形状が略左右対称である。なお、貫通穴２２ａ，２３ａは四角形状の角穴として、上下部枠体２２，２３側からボルト２８，２９を挿通する場合、これらの角穴にボルト２８，２９の角部を嵌合させてボルト止めを行うこともできる。
【００２５】
次に、本実施形態の架空ケーブル吊り金具による架空ケーブルの架設方法について、第１の実施形態に基づいて説明する。本実施形態では、支持点間にメッセンジャーワイヤ４を張り渡し、架空ケーブル５をメッセンジャーワイヤ４に略平行に仮架設した後、作業員が高所作業車に乗り、架空ケーブル５を主枠体１１と下部枠体１３とで挟み、ボルト１９を貫通穴１１ａ，１３ａに挿通し、ワッシャを介挿してナット１９ａで螺合緊縮して架空ケーブル５を挟持する。その後、主枠体１１の挟持部（フック部）１４ａをメッセンジャーワイヤ４に引っ掛けて架空ケーブル５を吊設する。その後、主枠体１１の挟持部１４ａと上部枠体１２とでメッセンジャーワイヤ４を挟んで、ボルト１８を貫通穴１１ａ，１２ａに挿通し、ワッシャを介挿してナット１８ａを螺合緊縮してメッセンジャーワイヤ４を挟持し、架空ケーブル５を支持点間に架設する。この架設方法によれば、高所の比較的狭い場所で少ない人員で迅速に架設作業ができる。
【００２６】
【発明の効果】
上記記載のように、本発明によれば、メッセンジャーワイヤに架空ケーブルを吊設する吊り金具が主枠体とに向かい合わされる枠体が上部枠体と下部枠体とに分割されており、従来のように、メッセンジャーワイヤと架空ケーブルと支えながら同時に組み付ける必要がなく、架空ケーブルを主枠体の下端部と下部枠体とで挟持し、その後、主枠体の上端部と上部枠体とによりメッセンジャーワイヤを挟持することができるので、熟練した作業員でなくとも少ない人員で確実に架空ケーブルの架設作業ができる効果を有する。なお、枠体と上部枠体及び下部枠体とを固定する場合、ボルトに角根丸頭ボルトを使用して、ボルトの角部を四角形状の貫通穴に嵌合させてボルト止めを行うことで、作業性の改善ができる。
【００２７】
また、本発明によれば、主枠体の上端部がメッセンジャーワイヤの断面垂直方向の中心線を超える張出部を有する内面円弧状であるので、この内面円弧状の上端部の挟持部（フック部）をメッセンジャーワイヤに引っ掛けて、架空ケーブルを吊設することができる。例えば、このような架空ケーブルの仮架設状態であっても、架空ケーブルの導通や送信試験等が行えるし、その後の架設作業も少ない人員で施工することができる効果を有する。
【００２８】
また、本発明によれば、内面円弧状の上端部の先端が曲面であるので、架空ケーブル吊り金具をメッセンジャーワイヤに引っ掛ける際にメッセンジャーワイヤに傷を付けることなく、確実に架設作業ができる効果を有する。
【００２９】
また、本発明によれば、本発明による架空ケーブル吊り金具を用いることによって、メッセンジャーワイヤと架空ケーブルとを別々に挟持することができので、支持点間に張り渡されたメッセンジャーワイヤに、主枠体と下部枠体とに架空ケーブルを挟持してた後、主枠体の上端部の挟持部（フック部）をメッセンジャーワイヤに引っ掛けて、架空ケーブルの架設作業ができるので、比較的狭い高所での架設作業を少ない人員で施工することができ、安全でしかも迅速に架設作業ができる効果を有する。
【図面の簡単な説明】
【図１】（ａ）は本発明の第１の実施形態を示す分解斜視図、（ｂ）はその側面図である。
【図２】（ａ），（ｂ）は主枠体の側面図及び正面図である。
【図３】（ａ），（ｂ）は上部枠体の正面図及び側面図である。
【図４】（ａ），（ｂ）は下部枠体の正面図及び側面図である。
【図５】（ａ）は本発明の第２の実施形態の分解斜視図、（ｂ）はその断面図である。
【図６】（ａ），（ｂ）は主枠体の側面図及び正面図である。
【図７】（ａ），（ｂ）は上部枠体の正面図及び側面図である。
【図８】（ａ），（ｂ）は下部枠体の側面図及び正面図である。
【図９】従来の架空ケーブの吊り金具の一例を示す斜視図である。
【図１０】従来の架空ケーブの吊具の他の例を示す正面図である。
【符号の説明】
４　メッセンジャーワイヤ
５　架空ケーブル
１０，２０　架空ケーブル吊り金具
１１，２１　主枠体
１２，２２　上部枠体
１３，２３　下部枠体
１４，２４　上端部
１４ａ，１５ａ，２４ａ，２５ａ　挟持部
１５，２５　下端部
１６，１７，２６，２７　挟持部
１８，１９　ボルト（角根丸頭ボルト）
【図１】
2004072868.tif 000003
【図２】
2004072868.tif 000004
【図３】
2004072868.tif 000005
【図４】
2004072868.tif 000006
【図５】
2004072868.tif 000007
【図６】
2004072868.tif 000008
【図７】
2004072868.tif 000009
【図８】
2004072868.tif 000010
【図９】
2004072868.tif 000011
【図１０】
2004072868.tif 000012